(57)【要約】  無線通信システムにおける制御情報を送受信する方法及び装置を提供する。前記方法及び装置は、フレームで送信される物理レイヤーシグナリング情報を決定し、前記物理レイヤーシグナリング情報に含まれた固定ビット数を有するシグナリング情報から１つの符号化ブロックを生成し、前記１つの符号化ブロックを含むフレームを送信する。前記固定ビット数を有するシグナリング情報は、可変ビット数を有する他のシグナリング情報の受信のための情報を含む。【選択図】図３
2011514776.tif 000002
【特許請求の範囲】
【請求項１】
無線通信システムにおける制御情報を送信する方法であって、
１つのフレームで送信される物理レイヤーシグナリング情報を決定するステップと、
前記物理レイヤーシグナリング情報に含まれた固定ビット数を有するシグナリング情報から１つの符号化ブロックを生成するステップと、
前記１つの符号化ブロックを含むフレームを送信するステップとを有し、
前記固定ビット数を有するシグナリング情報は、可変ビット数を有する他のシグナリング情報の受信のための情報を含むことを特徴とする制御情報を送信する方法。
【請求項２】
前記固定ビット数を有するシグナリング情報は、前記物理レイヤーシグナリング情報で一定に保持されるレイヤー１（Ｌ１）プリ−シグナリング情報を含むことを特徴とする請求項１に記載の制御情報を送信する方法。
【請求項３】
前記レイヤー１プリ−シグナリング情報は、前記他のシグナリング情報の送信のために使用されるサブキャリア、変調方式、及び符号化率の中の少なくとも１つを示す情報を含むことを特徴とする請求項２に記載の制御情報を送信する方法。
【請求項４】
前記フレームは、サービスデータを含み、前記他のシグナリング情報は、前記サービスデータの受信のための情報を含むことを特徴とする請求項１に記載の制御情報を送信する方法。
【請求項５】
前記固定ビット数を有するシグナリング情報は、１つの物理レイヤーパイプ（ＰＬＰ）を送信するための無線周波数（ＲＦ）チャネルの個数に関する情報を含むことを特徴とする請求項１に記載の制御情報を送信する方法。
【請求項６】
前記固定ビット数を有するシグナリング情報は、追加拡張フレーム（ＦＥＦ）が使用されるか否かを示す情報を含むことを特徴とする請求項１に記載の制御情報を送信する方法。
【請求項７】
前記固定ビット数を有するシグナリング情報は、セル識別子（ＩＤ）、ネットワーク識別子、システム識別子、及び無線周波数（ＲＦ）インデックスに関する情報を含むことを特徴とする請求項１に記載の制御情報を送信する方法。
【請求項８】
前記フレームは、少なくとも１つの物理レイヤーパイプ（ＰＬＰ）をサービスデータとして含み、前記少なくとも１つの物理レイヤーパイプを複数の無線周波数（ＲＦ）チャネルを介して送信する場合、前記他のシグナリング情報は、１番目の無線周波数チャネルの周波数を除く残りの無線周波数チャネルの周波数に関する情報を含むことを特徴とする請求項１に記載の制御情報を送信する方法。
【請求項９】
前記他のシグナリング情報は、将来の使用のために予備された追加拡張フレーム（ＦＥＦ）に関連した情報を含むことを特徴とする請求項１に記載の制御情報を送信する方法。
【請求項１０】
前記生成するステップは、前記固定ビット数を有するシグナリング情報の低密度パリティ検査（ＬＤＰＣ）符号化を行うことにより前記１つの符号化ブロックを生成するステップを含むことを特徴とする請求項１に記載の制御情報を送信する方法。
【請求項１１】
無線通信システムにおける制御情報を送信する装置であって、
受信した情報を所定の符号化方式で符号化する符号化部と、
１つのフレームを、無線ネットワークを介して送信する送信部と、
前記符号化部が前記物理レイヤーシグナリング情報に含まれた固定ビット数を有するシグナリング情報を符号化することにより１つの符号化ブロックを生成するように制御し、前記送信部が前記符号化ブロックを含む前記フレームを送信するように制御する制御部とを有し、
前記固定ビット数を有するシグナリング情報は、可変ビット数を有する他のシグナリング情報の受信のための情報を含むことを特徴とする制御情報を送信する装置。
【請求項１２】
所定のスケジューリングに従って１つのフレームで送信される前記物理レイヤーシグナリング情報を生成する制御情報生成部をさらに含むことを特徴とする請求項１１に記載の制御情報を送信する装置。
【請求項１３】
前記固定ビット数を有するシグナリング情報は、前記物理レイヤーシグナリング情報で一定に保持されるレイヤー１（Ｌ１）プリ−シグナリング情報を含むことを特徴とする請求項１１に記載の制御情報を送信する装置。
【請求項１４】
前記レイヤー１プリ−シグナリング情報は、前記他のシグナリング情報の送信のために使用されるサブキャリア、変調方式、及び符号化率の中の少なくとも１つを示す情報を含むことを特徴とする請求項１３に記載の制御情報を送信する装置。
【請求項１５】
前記フレームは、サービスデータを含み、前記他のシグナリング情報は、前記サービスデータの受信のための情報を含むことを特徴とする請求項１１に記載の制御情報を送信する装置。
【請求項１６】
前記フレームは、少なくとも１つの物理レイヤーパイプ（ＰＬＰ）をサービスデータとして含み、前記少なくとも１つの物理レイヤーパイプを複数の無線周波数（ＲＦ）チャネルを介して送信する場合、前記他のシグナリング情報は、１番目の無線周波数チャネルの周波数を除く残りの無線周波数チャネルの周波数に関する情報を含むことを特徴とする請求項１１に記載の制御情報を送信する装置。
【請求項１７】
前記他のシグナリング情報は、予備された追加拡張フレーム（ＦＥＦ）に関連した情報を含むことを特徴とする請求項１１に記載の制御情報を送信する装置。
【請求項１８】
前記符号化部は、前記固定ビット数を有するシグナリング情報の低密度パリティ検査（ＬＤＰＣ）符号化を行うことを特徴とする請求項１１に記載の制御情報を送信する装置。
【請求項１９】
無線通信システムにおける制御情報を送信する方法であって、
１つのフレームで送信される物理レイヤーシグナリング情報を決定するステップと、
前記物理レイヤーシグナリング情報に含まれた可変ビット数を有するシグナリング情報から少なくとも１つの符号化ブロックを生成するステップと、
前記少なくとも１つの符号化ブロックを含むフレームを送信するステップとを有し、
前記フレームは、前記可変ビット数を有するシグナリング情報の受信のために固定ビット数を有する他のシグナリング情報を含むことを特徴とする制御情報を送信する方法。
【請求項２０】
前記フレームは、サービスデータを含み、前記可変ビット数を有するシグナリング情報は、前記サービスデータの受信のための情報を含むことを特徴とする請求項１９に記載の制御情報を送信する方法。
【請求項２１】
前記固定ビット数を有するシグナリング情報は、１つの物理レイヤーパイプ（ＰＬＰ）を送信するための無線周波数（ＲＦ）チャネルの個数に関する情報を含むことを特徴とする請求項１９に記載の制御情報を送信する方法。
【請求項２２】
前記固定ビット数を有するシグナリング情報は、追加拡張フレーム（ＦＥＦ）が使用されるか否かを示す情報を含むことを特徴とする請求項１９に記載の制御情報を送信する方法。
【請求項２３】
前記固定ビット数を有するシグナリング情報は、セル識別子（ＩＤ）、ネットワーク識別子、システム識別子、及び無線周波数（ＲＦ）インデックスに関する情報を含むことを特徴とする請求項１９に記載の制御情報を送信する方法。
【請求項２４】
前記フレームは、少なくとも１つの物理レイヤーパイプ（ＰＬＰ）をサービスデータとして含み、前記少なくとも１つの物理レイヤーパイプを複数の無線周波数（ＲＦ）チャネルを介して送信する場合、前記可変ビット数を有するシグナリング情報は、１番目の無線周波数チャネルの周波数を除く残りの無線周波数チャネルの周波数に関する情報を含むことを特徴とする請求項１９に記載の制御情報を送信する方法。
【請求項２５】
前記可変ビット数を有するシグナリング情報は、予備された追加拡張フレーム（ＦＥＦ）に関連した情報を含むことを特徴とする請求項１９に記載の制御情報を送信する方法。
【請求項２６】
前記可変ビット数を有するシグナリング情報は、前記物理レイヤーシグナリング情報の中で、後続のフレームで変更される可能性が低いレイヤー１（Ｌ１）可変情報及びフレームごとに変更される可能性が高いＬ１動的情報を含むことを特徴とする請求項１９に記載の制御情報を送信する方法。
【請求項２７】
前記固定ビット数を有するシグナリング情報は、前記物理レイヤーシグナリング情報で一定に保持されるレイヤー１（Ｌ１）プリーシグナリング情報を含むことを特徴とする請求項１９に記載の制御情報を送信する方法。
【請求項２８】
前記生成するステップは、前記可変ビット数を有するシグナリング情報の低密度パリティ検査（ＬＤＰＣ）符号化を行うことにより前記少なくとも１つの符号化ブロックを生成するステップを含むことを特徴とする請求項１９に記載の制御情報を送信する方法。
【請求項２９】
無線通信システムにおける制御情報を送信する装置であって、
受信した情報を所定の符号化方式で符号化する符号化部と、
１つのフレームを、無線ネットワークを介して送信する送信部と、
前記符号化部が物理レイヤーシグナリング情報に含まれた可変ビット数を有するシグナリング情報を符号化することにより少なくとも１つの符号化ブロックを生成するように制御し、前記送信部が前記少なくとも１つの符号化ブロックを含む前記フレームを送信するように制御する制御部とを有し、
前記フレームは、前記可変ビット数を有するシグナリング情報の受信のために固定ビット数を有する他のシグナリング情報を含むことを特徴とする制御情報を送信する装置。
【請求項３０】
所定のスケジューリングに従って前記フレームで送信される前記物理レイヤーシグナリング情報を生成する制御情報生成部をさらに含むことを特徴とする請求項２９に記載の制御情報を送信する装置。
【請求項３１】
前記フレームは、サービスデータを含み、前記可変ビット数を有するシグナリング情報は、前記サービスデータの受信のための情報を含むことを特徴とする請求項２９に記載の制御情報を送信する装置。
【請求項３２】
前記フレームは、少なくとも１つの物理レイヤーパイプ（ＰＬＰ）をサービスデータとして含み、前記少なくとも１つの物理レイヤーパイプを複数の無線周波数（ＲＦ）チャネルを介して送信する場合、前記可変ビット数を有するシグナリング情報は、１番目の無線周波数チャネルの周波数を除く残りの無線周波数チャネルの周波数に関する情報を含むことを特徴とする請求項２９に記載の制御情報を送信する装置。
【請求項３３】
前記可変ビット数を有するシグナリング情報は、予備された追加拡張フレーム（ＦＥＦ）に関連した情報を含むことを特徴とする請求項２９に記載の制御情報を送信する装置。
【請求項３４】
前記可変ビット数を有するシグナリング情報は、前記物理レイヤーシグナリング情報の中で後続のフレームで変更される可能性が低いレイヤー１（Ｌ１）可変情報及びフレームごとに変更される可能性が高いＬ１動的情報を含むことを特徴とする請求項２９に記載の制御情報を送信する装置。
【請求項３５】
前記固定ビット数を有するシグナリング情報は、前記物理レイヤーシグナリング情報で一定に保持されるレイヤー１（Ｌ１）プリ−シグナリング情報を含むことを特徴とする請求項２９に記載の制御情報を送信する装置。
【請求項３６】
前記符号化部は、前記可変ビット数を有するシグナリング情報の低密度パリティ検査（ＬＤＰＣ）符号化を行うことを特徴とする請求項２９に記載の制御情報を送信する装置。
【請求項３７】
無線通信システムにおける制御情報を受信する方法であって、
受信したフレームの１つの符号化ブロックで固定ビット数を有するシグナリング情報を受信するステップと、
前記固定ビット数を有するシグナリング情報を用いて前記受信したフレームの少なくとも１つの符号化ブロックで可変ビット数を有するシグナリング情報を復号化するステップと、
を有することを特徴とする制御情報を受信する方法。
【請求項３８】
前記固定ビット数を有するシグナリング情報は、前記物理レイヤーシグナリング情報で一定に保持されるレイヤー１（Ｌ１）プリ−シグナリング情報を含むことを特徴とする請求項３７に記載の制御情報を受信する方法。
【請求項３９】
前記レイヤー１プリ−シグナリング情報は、前記他のシグナリング情報の送信のために使用されるサブキャリア、変調方式、及び符号化率の中の少なくとも１つを示す情報を含むことを特徴とする請求項３８に記載の制御情報を受信する方法。
【請求項４０】
前記フレームは、サービスデータを含み、前記他のシグナリング情報は、前記サービスデータの受信のための情報を含むことを特徴とする請求項３７に記載の制御情報を受信する方法。
【請求項４１】
前記固定ビット数を有するシグナリング情報は、１つの物理レイヤーパイプ（ＰＬＰ）を送信するための無線周波数（ＲＦ）チャネルの個数に関する情報を含むことを特徴とする請求項３７に記載の制御情報を受信する方法。
【請求項４２】
前記固定ビット数を有するシグナリング情報は、追加拡張フレーム（ＦＥＦ）が使用されるか否かを示す情報を含むことを特徴とする請求項３７に記載の制御情報を受信する方法。
【請求項４３】
前記固定ビット数を有するシグナリング情報は、セル識別子（ＩＤ）、ネットワーク識別子、システム識別子、及び無線周波数（ＲＦ）インデックスに関する情報を含むことを特徴とする請求項３７に記載の制御情報を受信する方法。
【請求項４４】
前記フレームは、少なくとも１つの物理レイヤーパイプをサービスデータとして含み、前記少なくとも１つの物理レイヤーパイプを複数の無線周波数（ＲＦ）チャネルを介して送信する場合、前記他のシグナリング情報は、１番目の無線周波数チャネルの周波数を除く残りの無線周波数チャネルの周波数に関する情報を含むことを特徴とする請求項３７に記載の制御情報を受信する方法。
【請求項４５】
前記可変ビット数を有するシグナリング情報は、予備された追加拡張フレーム（ＦＥＦ）に関連した情報を含むことを特徴とする請求項３７に記載の制御情報を受信する方法。
【請求項４６】
前記１つの符号化ブロック及び前記少なくとも１つの符号化ブロックは、独立して低密度パリティ検査（ＬＤＰＣ）符号化がなされたブロックであることを特徴とする請求項３７に記載の制御情報を受信する方法。
【請求項４７】
無線通信システムにおける制御情報を受信する装置であって、
無線ネットワークを介して物理レイヤーシグナリング情報を含むフレームを受信する受信部と、
受信した情報を所定の符号化方式で復号化する復号化部と、
前記復号化部が前記物理レイヤーシグナリング情報に含まれた固定ビット数を有するシグナリング情報を復号化するように制御し、該復号化されたシグナリング情報を用いて前記物理レイヤーシグナリング情報に含まれた可変ビット数を有するシグナリング情報を復号化するように制御する制御部と、
を有することを特徴とする制御情報を受信する装置。
【請求項４８】
前記固定ビット数を有するシグナリング情報は、前記物理レイヤーシグナリング情報で一定に保持されるレイヤー１（Ｌ１）プリ−シグナリング情報を含むことを特徴とする請求項４７に記載の制御情報を受信する装置。
【請求項４９】
前記レイヤー１プリ−シグナリング情報は、前記他のシグナリング情報の送信のために使用されるサブキャリア、変調方式、及び符号化率の中の少なくとも１つを示す情報を含むことを特徴とする請求項４８に記載の制御情報を受信する装置。
【請求項５０】
前記フレームは、サービスデータを含み、前記他のシグナリング情報は、前記サービスデータの受信のための情報を含むことを特徴とする請求項４７に記載の制御情報を受信する装置。
【請求項５１】
前記固定ビット数を有するシグナリング情報は、１つの物理レイヤーパイプ（ＰＬＰ）を送信するための無線周波数（ＲＦ）チャネルの個数に関する情報を含むことを特徴とする請求項４７に記載の制御情報を受信する装置。
【請求項５２】
前記固定ビット数を有するシグナリング情報は、追加拡張フレーム（ＦＥＦ）が使用されるか否かを示す情報を含むことを特徴とする請求項４７に記載の制御情報を受信する装置。
【請求項５３】
前記固定ビット数を有するシグナリング情報は、セル識別子（ＩＤ）、ネットワーク識別子、システム識別子、及び無線周波数（ＲＦ）インデックスに関する情報を含むことを特徴とする請求項４７に記載の制御情報を受信する装置。
【請求項５４】
前記フレームは、少なくとも１つの物理レイヤーパイプ（ＰＬＰ）をサービスデータとして含み、前記少なくとも１つの物理レイヤーパイプを複数の無線周波数（ＲＦ）チャネルを介して送信する場合、前記他のシグナリング情報は、１番目の無線周波数チャネルの周波数を除く残りの無線周波数チャネルの周波数に関する情報を含むことを特徴とする請求項４７に記載の制御情報を受信する装置。
【請求項５５】
前記他のシグナリング情報は、予備された追加拡張フレーム（ＦＥＦ）に関連した情報を含むことを特徴とする請求項４７に記載の制御情報を受信する装置。
【請求項５６】
前記復号化部は、前記固定ビット数を有するシグナリング情報の低密度パリティ検査（ＬＤＰＣ）復号化を行うことを特徴とする請求項４７に記載の制御情報を受信する装置。
【請求項５７】
無線通信システムにおける制御情報を送信する方法であって、
１つのフレームで送信される物理レイヤーシグナリング情報を決定するステップと、
前記物理レイヤーシグナリング情報に含まれた固定ビット数を有するシグナリング情報から１つの符号化ブロックを生成するステップと、
前記物理レイヤーシグナリング情報に含まれた可変ビット数を有する他のシグナリング情報から少なくとも１つの符号化ブロックを生成するステップとを有し、
前記固定ビット数を有するシグナリング情報は、前記可変ビット数を有する他のシグナリング情報の受信のための情報を含むことを特徴とする制御情報を送信する方法。
【発明の詳細な説明】
【技術分野】
【０００１】
本発明は、無線通信システムにおける制御情報を送受信する方法及び装置に係り、特に、無線通信システムにおける物理レイヤー制御情報を送受信する方法及び装置に関する。
【背景技術】
【０００２】
図１は、無線通信システムにおける制御情報を含むフレームの従来の送信方式を示すもので、特に、無線デジタルブロードキャストシステムの送信方式を示す図である。
【０００３】
図１を参照すると、参照符号１０１は、１つのフレームを示す。フレーム１０１は、プリアンブル１０２、レイヤー１（Ｌ１）シグナリング情報１０３、レイヤー２（Ｌ２）シグナリング情報１０４、及び少なくとも１つの物理レイヤーパイプ（ＰＬＰ）１０５乃至１０７を含む。この制御情報は、プリアンブル１０２、Ｌ１シグナリング情報１０３、及びＬ２シグナリング情報１０４を介して伝達でき、データは、ＰＬＰ１０５〜１０７を介して運搬される。
【０００４】
プリアンブル１０２は、受信器側で時間と周波数同期及びフレーム同期のために使用される。Ｌ１シグナリング情報１０３は、Ｐ２シンボルで送信されるため、Ｐ２と称する。Ｐ２は、Ｌ１、すなわち、物理レイヤーシグナリング情報を示す。
【０００５】
Ｌ１シグナリング情報１０３は、参照符号１０８、１０９、及び１１０でそれぞれ示すように、固定情報（Ｓｔａｔｉｃ  ｉｎｆｏｒｍａｔｉｏｎ）、可変情報（ｃｏｎｆｉｇｕｒａｂｌｅ  ｉｎｆｏｒｍａｔｉｏｎ）、及び動的情報（ｄｙｎａｍｉｃ  ｉｎｆｏｒｍａｔｉｏｎ）を含む。
セル識別子（ＩＤ）、ネットワークＩＤ、無線周波数（ＲＦ）チャネル数、フレーム長、及びパイロットサブキャリアの位置に関する情報を含む固定情報１０８は、時間的にほとんど変わらない。可変情報１０９は、必ずしもフレームごとには変更されないが、後続のフレームで変更可能な情報を含む。したがって、可変情報１０９は、サービスＩＤ、各サービスデータの送信に使用される変調方式、及び符号化率（ｃｏｄｅ＿ｒａｔｅ）情報を含む。
【０００６】
現在のフレームでサービスデータを運搬する各ＰＬＰの位置、すなわち、各ＰＬＰの開始位置及び終了位置を含む動的情報１１０は、フレームごとに変更され得る。図１において、Ｌ２シグナリング情報１０４は、レイヤー２（Ｌ２）、すなわち、媒体アクセス制御（ＭＡＣ）レイヤーに関するシグナリング情報である。Ｌ２シグナリング情報１０４を運搬するＰＬＰは、ＰＬＰ０と称する。ＰＬＰ０は、ＰＬＰとブロードキャストサービス間の接続に関する情報を含み、これは、特定のサービスがどのＰＬＰを介して受信されるかを示す。ＰＬＰ１０５〜ＰＬＰ１０７、すなわち、ＰＬＰ１〜ＰＬＰＮは、少なくとも１つのサービスチャネルを運搬する。ＰＬＰ１０５〜１０７が実際のブロードキャストデータを運搬するため、これらをデータＰＬＰとも称する。
【０００７】
特定のブロードキャストサービスチャネルを受信するために、受信器は、プリアンブル１０２からフレーム同期を取得し、Ｐ２、すなわち、Ｌ１シグナリング情報１０３からデータ送信方式及びフレーム長に関する情報を得る。受信器は、ＰＬＰ０、すなわち、Ｌ２シグナリング情報１０４から受信しようとするサービスチャネルを運搬する複数のＰＬＰを検出した後に、該複数のＰＬＰでブロードキャストデータを受信する。
【０００８】
上述したように、無線通信システムにおいて、シグナリング情報のような制御情報の場合、符号化の間に多数のダミービットを含み得るので、これらのダミービットは貴重な通信資源を消費してしまう。したがって、通信リソースを効率的に使用するための制御情報を符号化する方案が必要とされるという問題がある。
【発明の概要】
【発明が解決しようとする課題】
【０００９】
そこで、本発明は上記従来の問題点に鑑みてなされたものであって、本発明の目的は、無線通信システムにおいて制御情報を効率的に符号化することにより複数の符号化ブロックを生成する方法並びにこれを用いる送受信方法及び装置を提供することにある。
【００１０】
本発明の他の目的は、無線通信システムにおいて制御情報の低密度パリティ検査（ＬＤＰＣ）符号化を効率的に行うことにより複数の符号化ブロックを生成する方法並びにこれを用いる送受信方法及び装置を提供することにある。
【００１１】
本発明のまた他の目的は、無線通信システムにおいて制御情報のタイプに従って符号化ブロックを識別可能に生成する方法並びにこれを用いる送受信方法及び装置を提供することにある。
【課題を解決するための手段】
【００１２】
上記のような目的を達成するために、本発明の一態様によれば、無線通信システムにおける制御情報を送信する方法を提案する。この方法は、
１つのフレームで送信される物理レイヤーシグナリング情報を決定するステップと、
前記物理レイヤーシグナリング情報に含まれた固定ビット数を有するシグナリング情報から１つの符号化ブロックを生成するステップと、
前記１つの符号化ブロックを含むフレームを送信するステップとを有し、
前記固定ビット数を有するシグナリング情報は、可変ビット数を有する他のシグナリング情報の受信のための情報を含むことを特徴とする。
【００１３】
本発明の他の態様によれば、無線通信システムにおける制御情報を送信する方法を提案する。この方法は、
１つのフレームで送信される物理レイヤーシグナリング情報を決定するステップと、
前記物理レイヤーシグナリング情報に含まれた固定ビット数を有するシグナリング情報から１つの符号化ブロックを生成するステップと、
前記物理レイヤーシグナリング情報に含まれた可変ビット数を有する他のシグナリング情報から少なくとも１つの符号化ブロックを生成するステップとを有し、
前記固定ビット数を有するシグナリング情報は、前記可変ビット数を有する他のシグナリング情報の受信のための情報を含むことを特徴とする。
【００１４】
本発明のさらに他の態様によれば、無線通信システムにおける制御情報を送信する装置を提案する。この装置は、
受信した情報を所定の符号化方式で符号化する符号化部と、
１つのフレームを無線ネットワークを介して送信する送信部と、
前記符号化部が前記物理レイヤーシグナリング情報に含まれた固定ビット数を有するシグナリング情報を符号化することにより１つの符号化ブロックを生成するように制御し、前記送信部が前記符号化ブロックを含む前記フレームを送信するように制御する制御部とを有し、
前記固定ビット数を有するシグナリング情報は、可変ビット数を有する他のシグナリング情報の受信のための情報を含むことを特徴とする。
【００１５】
本発明のさらなる他の態様によれば、無線通信システムにおける制御情報を送信する方法を提案する。この方法は、
１つのフレームで送信される物理レイヤーシグナリング情報を決定するステップと、
前記物理レイヤーシグナリング情報に含まれた可変ビット数を有するシグナリング情報から少なくとも１つの符号化ブロックを生成するステップと、
前記少なくとも１つの符号化ブロックを含むフレームを送信するステップとを有し、
前記フレームは、前記可変ビット数を有するシグナリング情報の受信のために固定ビット数を有する他のシグナリング情報を含むことを特徴とする。
【００１６】
本発明のさらなる他の１つの態様によれば、無線通信システムにおける制御情報を送信する装置を提案する。この装置は、
受信した情報を所定の符号化方式で符号化する符号化部と、
１つのフレームを、無線ネットワークを介して送信する送信部と、
前記符号化部が物理レイヤーシグナリング情報に含まれた可変ビット数を有するシグナリング情報を符号化することにより少なくとも１つの符号化ブロックを生成するように制御し、前記送信部が前記少なくとも１つの符号化ブロックを含む前記フレームを送信するように制御する制御部とを有し、
前記フレームは、前記可変ビット数を有するシグナリング情報の受信のために固定ビット数を有する他のシグナリング情報を含むことを特徴とする。
【００１７】
本発明のさらにまた他の態様によれば、無線通信システムにおける制御情報を受信する方法を提案する。この方法は、
受信したフレームの１つの符号化ブロックで固定ビット数を有するシグナリング情報を受信するステップと、
前記固定ビット数を有するシグナリング情報を用いて前記受信したフレームの少なくとも１つの符号化ブロックで可変ビット数を有するシグナリング情報を復号化するステップとを有することを特徴とする。
【００１８】
本発明のさらにその他の態様によれば、無線通信システムにおける制御情報を受信する装置を提案する。この装置は、
無線ネットワークを介して物理レイヤーシグナリング情報を含むフレームを受信する受信部と、
受信した情報を所定の符号化方式で復号化する復号化部と、
前記復号化部が前記物理レイヤーシグナリング情報に含まれた固定ビット数を有するシグナリング情報を復号化するように制御し、該復号化されたシグナリング情報を用いて前記物理レイヤーシグナリング情報に含まれた可変ビット数を有するシグナリング情報を復号化するように制御する制御部と、を有することを特徴とする。
【発明の効果】
【００１９】
以下に説明するように、本発明の実施形態によれば、制御情報を符号化して送信する時、ダミービットの数を削減することにより制御情報をより効率的に送受信できる。
特に、制御情報、すなわち、物理レイヤーシグナリング情報を複数のＬＤＰＣ符号語を用いて送信する時、制御情報のタイプに従ってビット数が固定された符号語を送受信する。したがって、送信器及び受信器の構成を簡素化できる。
【図面の簡単な説明】
【００２０】
【図１】無線通信システム、特に無線デジタルブロードキャストシステムにおける制御情報を含むフレームの従来の送信方式を示す図である。
【図２】本発明が適用される無線通信システムにおける制御情報を符号化する方法を示す図である。
【図３】本発明の実施形態による無線通信システムにおける制御情報符号化方法を示す図である。
【図４】図３の方法で符号化された制御情報として第１及び第２の符号語の構成を示す図である。
【図５】本発明の実施形態による無線通信システムにおける送信器で制御情報を送信する方法を示すフローチャートである。
【図６】本発明の実施形態による無線通信システムにおける受信器で制御情報を受信する方法を示すフローチャートである。
【図７】本発明の実施形態による無線通信システムにおける送信器の構成を示すブロック図である。
【図８】本発明の実施形態による無線通信システムにおける受信器の構成を示すブロック図である。
【発明を実施するための形態】
【００２１】
本発明の上記及び他の目的、利点、及び顕著な特徴は、添付の図面を用いてなされた本発明の実施形態に関する以下の詳細な説明から、この分野の当業者に明確になるはずである。
【００２２】
本発明の詳細な構成および要素のような本発明の詳細な説明で定義される特徴は、本発明の実施形態の包括的な理解を助けるために提供される。したがって、本発明の範囲及び趣旨を逸脱することなく、ここに説明された実施形態の様々な変更及び変形が可能であることは、当該技術分野における通常の知識を有する者には明らかである。また、明瞭性と簡潔性の観点から、当業者に良く知られている機能や構成に関する具体的な説明は、省略する。
【００２３】
図２は、本発明が適用される無線通信システムにおける制御情報を符号化する方法を示す図である。具体的には、この制御情報は、図１に示したＬ１シグナリング情報である。
【００２４】
図２を参照すると、Ｌ１シグナリング情報２０１は、図１を参照して説明したＬ１固定情報２０３、Ｌ１可変情報２０４、及びＬ１動的情報２０５に加えて、Ｌ１プリ−シグナリング情報２０２をさらに含む。Ｌ１プリ−シグナリング情報２０２は、Ｌ１固定情報２０３、Ｌ１可変情報２０４、及びＬ１動的情報２０５の送信方式に関する情報を提供する。すなわち、Ｌ１プリ−シグナリング情報２０２は、Ｌ１固定情報２０３、Ｌ１可変情報２０４、及びＬ１動的情報２０５のために使用されたサブキャリア、変調方式（位相偏移変調（ＱＰＳＫ）、１６重直交振幅変調（１６ＱＡＭ）、６４ＱＡＭなど）、及び符号化率を示す。Ｌ１プリ−シグナリング情報２０２、Ｌ１固定情報２０３、Ｌ１可変情報２０４、及びＬ１動的情報２０５のそれぞれについて特定のビット数の場合を説明しているが、これは一例であり、本発明はこれに限定されない。
【００２５】
第１の符号化器の入力２０６に示すように、送信器は、独立してＬ１プリ−シグナリング情報２０２のＬＤＰＣ符号化を行うことにより１つの符号語を生成し、第２の符号化器の入力２０７に示すように、Ｌ１固定情報２０３、Ｌ１可変情報２０４、及びＬ１動的情報２０５をまとめてＬＤＰＣ符号化を行うことにより他の符号語を生成する。入力ビットの数が相対的に小さい場合、例えば、２００〜３００ビットの場合、ＬＤＰＣ符号の符号化性能は、一般的に良くない。
【００２６】
例えば図２の場合、Ｌ１プリ−シグナリング情報２０２に対して、わずか４１ビットの入力ビットが２２７ビットのダミ−ビット及び３２ビットのＣＲＣビットとともに付加される。その結果、３００ビットが１つの符号語に符号化される。上述したように、２２７ビットだけがＬ１プリ−シグナリング情報及び３２ビットのＣＲＣを含む７３ビットの情報を送信するためにダミービットとして使用される。
【００２７】
本発明の制御情報符号化方法に従って、Ｌ１プリ−シグナリング情報２０２及びＬ１固定情報２０３の中の所定のデフォルト情報（デフォルトＬ１固定情報とも称する）を符号化することにより第１の符号語を生成し、残りの追加のＬ１固定情報、Ｌ１可変情報２０４、及びＬ１動的情報２０５を符号化することにより第２の符号語を生成する。特に、残りの追加のＬ１固定情報は、場合によって選択的である。
【００２８】
図３は、本発明の実施形態による無線通信システムにおける制御情報符号化方法を示す図である。
【００２９】
図３を参照すると、Ｌ１シグナリング情報のような制御情報を符号化する場合、Ｌ１プリ−シグナリング情報３０２及びＬ１固定情報から抽出されたデフォルトＬ１固定情報３０３を符号化することにより第１の符号語（図３のパートＩ）３０７を生成する。デフォルトＬ１固定情報３０３の例は、図４を参照して詳細に説明する。Ｌ１固定情報を第１の符号語３０７に対応する入力として使用する理由は、従来の技術に比べて、ダミービットを相当に削減することにより性能を向上するためであり、デフォルトＬ１固定情報３０３を入力する理由は、第１の符号語の入力情報の量及びタイプを保持するためである。
【００３０】
追加のＬ１固定情報３０４、Ｌ１可変情報３０５、及びＬ１動的情報３０６を符号化することにより第２の符号語（図３のパートＩＩ）３０８を生成する。追加のＬ１固定情報３０４は、場合によって選択的であり、図４を参照して詳細に説明する。図３において、第１の符号語３０７及び第２の符号語３０８を生成するために、ＬＤＰＣ符号を用いる方式を一例で示す。
【００３１】
図４は、図３の方法で符号化された制御情報として第１及び第２の符号語の構成を示す図である。
【００３２】
図４を参照すると、テーブル４０３は、Ｌ１プリ−シグナリング情報及びデフォルトＬ１固定情報の例を示す。時間周波数スライシング（ＴＦＳ）は、複数の無線周波数（ＲＦ）チャネルを介して１つのＰＬＰを送信する方式を意味する。テーブル４０３において、矢印４０６で示すフィールドの開始地点に対応するＮＵＭ＿ＲＦは、１つのＰＬＰを運搬するＲＦチャネルの個数を示す。複数のＲＦチャネルを介して１つのＰＬＰを送信する場合、すなわち、ＴＦＳモードを使用する場合、ＮＵＭ＿ＲＦは、１より大きい。１つのＲＦチャネルを介して１つのＰＬＰを送信する場合、ＮＵＭ＿ＲＦは１である。ＮＵＭ＿ＲＦの値に従って各ＲＦ周波数を示すメインＲＦ＿Ｆｒｅｑｕｅｎｃｙフィールドが複数存在する。ＲＦ＿Ｆｒｅｑｕｅｎｃｙは、通常３２ビットを占有するＲＦ周波数を示す。本発明では、１つ又はそれ以上のＲＦ＿Ｆｒｅｑｕｅｎｃｙフィールドの中の１番目は、第１の符号語に含まれる。ＮＵＭ＿ＲＦが１より大きい場合、“ＮＵＭ＿ＲＦ−１”だけのＲＦ＿Ｆｒｅｑｕｅｎｃｙフィールドは、第２の符号語４０２のテーブル４０４（追加のＬ１固定情報の例）に包含できる。このような各符号語の入力情報を構成することにより、この第１の符号語の入力情報のビット数及びタイプを固定できる。
【００３３】
テーブル４０３にリストしたＬ１プリ−シグナリング情報の主なフィールドは、フレームで送信されたストリームのタイプを示す“ＴＹＰＥ”、パートＩＩ情報４０２の符号率を示す“Ｌ１＿ＣＯＤ”、パートＩＩ情報４０２の変調方式を示す“Ｌ１＿ＭＯＤ”、パートＩＩ情報４０２のために使用されるＬ１順方向エラー訂正（ＦＥＣ）タイプ（例えば、１６ｋＬＤＰＣ符号）を示す“Ｌ１＿ＦＥＣ＿ＴＹＰＥ”、符号化及び変調がなされたパートＩＩ情報４０２のサイズを示す“Ｌ１＿Ｐ＿ＳＩＺＥ”、ネットワークで地理的なセルを固有に示す指示子である“ＢＷ＿ＥＸＴ”、現在のネットワークを識別する“ＮＥＴＷＯＲＫ＿ＩＤ”、システムを識別する“Ｔ２＿ＳＹＳＴＥＭ＿ＩＤ”、及びＲＦチャネルのインデックスである“ＲＦ＿ＩＤＸ”である。
【００３４】
矢印４０７は、第１及び第２の符号語の連携構成の他の例を示す。第１の符号語４０１のテーブル４０３において、ＦＥＦは、“追加拡張フレーム（ＦＥＦ）”が使用されるか否かを示すフィールドである。ＦＥＦは、幾つかのフレームが将来の技術で送信されることを許容するために定義されたフレームである。ＦＥＦが０である場合に、ＦＥＦは、現在のシステムで使用されない。ＦＥＦが１である場合に、ＦＥＦは、現在のシステムで使用される。追加拡張フレームに関する制御情報は、第２の符号語４０２のテーブル４０４に付加される。テーブル４０３から分かるように、ＦＥＦが使用されない場合、必要な情報だけが第１の符号語に含まれ、ＦＥＦが使用される場合、追加のＬ１固定情報は、第２の符号語に含まれるように各符号語の入力情報を構成する。したがって、第１の符号語の入力情報は、ビット数及びそのタイプを固定できる。
【００３５】
テーブル４０５にリストしたパートＩＩのＬ１可変情報及びＬ１動的情報の主なフィールドは、（スーパー）フレームを介して送信されたＰＬＰの個数を示す“ＮＵＭ＿ＰＬＰ”、ＰＬＰを固有に示す識別子（ＩＤ）である“ＰＬＰ＿ＩＤ”、ＰＬＰの符号率を示す“ＰＬＰ＿ＣＯ”、ＰＬＰの変調方式を示す“ＰＬＰ＿ＭＯＤ”、ＰＬＰのために使用されたＦＥＣタイプを示す“ＰＬＰ＿ＦＥＣ＿ＴＹＰＥ”、現在のＰＬＰのインターリービングされたフレームに含まれたＦＥＣブロックの個数を示す“ＰＬＰ＿ＮＵＭ＿ＢＬＯＣＫＳ”、及び現在のＰＬＰでのＰＬＰの開始位置を示す“ＰＬＰ＿ＳＴＡＲＴ”である。
【００３６】
図５は、本発明の実施形態による無線通信システムにおける送信器で制御情報を送信する方法を示すフローチャートである。
【００３７】
図５を参照すると、送信器は、ステップ５０１で、現在のフレームの制御情報としてＰ２情報（Ｌ１プリ−シグナリング情報、Ｌ１固定情報、Ｌ１可変情報、及びＬ１動的情報）を生成する。送信器は、ステップ５０２で、この制御情報の中で固定ビット数を有するＬ１プリ−シグナリング情報及びデフォルトＬ１固定情報のＬＤＰＣ符号化を行うことにより１つの符号化ブロックとして第１の符号語（Ｐａｒｔ  Ｉ）を生成する。ステップ５０３で、送信器は、この生成された制御情報が追加のＬ１固定情報を含むか否かを判定する。この判定の結果、追加のＬ１固定情報がない場合、送信器は、ステップ５０４で、可変ビット数を有するＬ１可変情報及びＬ１動的情報のＬＤＰＣ符号化を行うことにより１つの符号化ブロックである１つの符号語を生成する。Ｌ１可変情報及びＬ１動的情報が大容量のビットを有する場合、これは、複数の符号化ブロック、すなわち、複数の符号語を介して送信できる。
【００３８】
一方、この判定の結果、ステップ５０３で、追加のＬ１固定情報がある場合、送信器は、ステップ５０５で、Ｌ１可変情報及びＬ１動的情報とともに追加のＬ１固定情報のＬＤＰＣ符号化を行うことにより１つの符号語を生成し、該符号語を送信する。Ｌ１可変情報及びＬ１動的情報の合計が大容量のビットである場合、これを複数の符号語で送信できる。ステップ５０４又はステップ５０５の後、送信器は、ステップ５０６で、次のフレームに対して上記の動作を反復する。
【００３９】
図６は、本発明の実施形態による無線通信システムにおける受信器で制御情報を受信する方法を示すフローチャートである。
【００４０】
図６を参照すると、ステップ６０１で、受信器は、所定のサブキャリア、符号化率、及び変調方式に従って受信された現在のフレームで第１の符号語の符号化ブロック（低密度パリティ検査（ＬＤＰＣ）ブロック）を復号化することによりＬ１プリ−シグナリング情報及びデフォルトＬ１固定情報を取得する。ステップ６０２で、受信器は、この取得した情報に基づいて複数のＲＦチャネル又はＦＥＦが使用されるか否かを判定する。ステップ６０２は、追加のＬ１固定情報が存在するか否かを判定するステップである。ステップ６０２で、追加のＬ１固定情報が存在しない場合、受信器は、ステップ６０３で、Ｌ１プリ−シグナリング情報から取得したＰａｒｔ  ＩＩのサブキャリアの位置、符号化率、及び変調方式を用いて現在のフレームでＰａｒｔ  ＩＩの第２の符号語を受信し、Ｐａｒｔ  ＩＩの第２の符号語からＬ１可変情報及びＬ１動的情報を取得する。ステップ６０２の判定の結果、追加のＬ１固定情報が存在すると判定される場合、受信器は、ステップ６０４で、Ｌ１プリ−シグナリング情報から取得したＰａｒｔ  ＩＩのサブキャリアの位置、符号化率、及び変調方式を用いて現在のフレームでＰａｒｔ  ＩＩの第２の符号語を受信し、該Ｐａｒｔ  ＩＩの第２の符号語からＬ１固定情報、Ｌ１可変情報、及びＬ１動的情報を取得する。ステップ６０５で、受信器は、次のフレームに対して上記の動作を反復する。
【００４１】
図７は、本発明の実施形態による無線通信システムにおける送信器の構成を示すブロック図である。
【００４２】
図７を参照すると、送信器７００は、送信データバッファ７０１、スケジューラ７０２、制御情報生成部７０３、ＬＤＰＣ符号化部７０４、送信部７０５及び制御部７０６を含む。本発明に従って、送信器７００から送信された制御情報、すなわち、物理レイヤーシグナリング情報は、固定ビット数を有するＬ１プリ−シグナリング情報、可変ビット数を有するＬ１可変情報及びＬ１動的情報に区分される。Ｌ１可変情報及びＬ１動的情報は、Ｌ１−ポストシグナリング情報とも称する。
【００４３】
送信データバッファ７０１は、無線通信システムにおいて、ブロードキャストサービスを提供する場合、複数のブロードキャストサービスチャネルを介して送信されるサービスデータ（すなわち、ＰＬＰ）をバッファリングする。スケジューラ７０２は、送信データバッファ７０１から受信したこのバッファリングされたデータに関する情報に基づいて所定のスケジューリング動作を実行する。ここで、このスケジューリング動作は、フレームで送信される制御情報としてＬ１プリ−シグナリング情報、Ｌ１可変情報、及びＬ１動的情報を決定する動作を含む。制御情報生成部７０３は、このスケジューリング動作の結果を受信し、図４を参照して具体的に説明したＬ１プリ−シグナリング情報、Ｌ１可変情報、及びＬ１動的情報のフィールド値を生成する。ＬＤＰＣ符号化部７０４は、この制御情報を制御情報生成部７０３から受信し、固定ビット数を有するシグナリング情報から１つの符号化ブロック（ＬＤＰＣブロック）を生成し、可変ビット数を有するシグナリング情報から少なくとも１つの符号化ブロックを生成する。送信部７０５は、所定のサブキャリア位置、符号化率、及び変調方式に従って、ＬＤＰＣ符号化部７０４から受信したＬＤＰＣブロックを送信する。制御部７０５は、図５の方法でＬＤＰＣブロックを生成し送信するために送信器７００の全般的な動作を制御する。
【００４４】
図８は、本発明の実施形態による無線通信システムにおける受信器の構成を示すブロック図である。
【００４５】
図８を参照すると、受信器８００は、制御情報受信部８０１、ＬＤＰＣ復号化部８０２、制御情報解析部８０４、及び制御部８０３を含む。制御情報受信部８０１は、所定のサブキャリア位置、符号化率、及び変調方式に従って制御情報、すなわち、Ｌ１プリ−シグナリング情報、Ｌ１可変情報、及びＬ１動的情報を含むＬ１シグナリング情報を受信し、該Ｌ１シグナリング情報を復調する。ＬＤＰＣ復号化部８０２は、図６で説明した方法でこの復調されたＬ１シグナリング情報を復号化し、該復号化された制御情報を解析する制御情報解析部８０４にこの復号化された情報を出力する。制御部８０３は、図６の方法でＬＤＰＣブロックの受信及び復号化を行うように受信器８００の全般的な動作を制御する。
【００４６】
本発明は、コンピュータ可読記録媒体上でコンピュータ可読コードとしても実現できる。コンピュータ可読記録媒体は、コンピュータシステムにより読み出せるデータを記憶できる任意のデータ記憶装置である。コンピュータ可読記録媒体の例としては、読出し専用メモリ（ＲＯＭ）、ランダムアクセスメモリ（ＲＡＭ）、ＣＤ−ＲＯＭ、磁気テープ、フロッピー（登録商標）ディスク、光学データ記憶装置、及び搬送波（有線又は無線送信経路上のインターネットを介したデータ送信のような）が含まれるが、これらに限定されるものではない。また、上記コンピュータ可読記録媒体は、コンピュータ可読コードが分配される方式で記憶されて実行できるように、ネットワーク結合型コンピュータシステムを介して分配できる。さらに、本発明を遂行するための関数プログラム、コード及びコードセグメントは、本発明が属する技術分野で熟練したプログラマーにより本発明の範囲内で容易に理解できるであろう。
【００４７】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００４８】
１０１    フレーム
１０２    プレアンブル
１０３、２０１、３０１    レイヤー１（Ｌ１）シグナリング情報
１０４    レイヤー２（Ｌ２）シグナリング情報
１０５、１０６、１０７    物理レイヤーパイプ（ＰＬＰ）
１０８、２０３、    （Ｌ１）固定情報
１０９、２０４、３０５    （Ｌ１）可変情報
１１０、２０５、３０６    （Ｌ１）動的情報
２０２、３０２    Ｌ１プリ−シグナリング情報
２０６    第１の符号化器の入力
２０７    第２の符号化器の入力
３０３    デフォルトＬ１固定情報
３０４    追加のＬ１固定情報
３０７    第１の符号語（パートＩ）
３０８    第２の符号語（パートＩＩ）
４０１    パートＩ情報（第１の符合語の例）
４０２    パートＩＩ情報（第２の符合語の例）
４０３    テーブル（Ｌ１プリ−シグナリング情報及びデフォルトＬ１固定情報の例）
４０４    テーブル（追加のＬ１固定情報の例）
４０５    テーブル（Ｌ１可変情報及びＬ１動的情報の例）
４０６、４０７    矢印
５０１〜５０６    ステップ
６０１〜６０５    ステップ
７００    送信器
７０１    送信データバッファ
７０２    スケジューラ
７０３    制御情報生成部
７０４    ＬＤＰＣ符号化部
７０５    送信部
７０６    制御部
８００    受信器
８０１    制御情報受信部
８０２    ＬＤＰＣ復号化部
８０３    制御部
８０４    制御情報解析部
【図１】
2011514776.tif 000003
【図２】
2011514776.tif 000004
【図３】
2011514776.tif 000005
【図４】
2011514776.tif 000006
【図５】
2011514776.tif 000007
【図６】
2011514776.tif 000008
【図７】
2011514776.tif 000009
【図８】
2011514776.tif 000010
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
デジタルブロードキャスト／通信システムにおける制御情報を送信する方法であって、
フレームで送信される物理レイヤーシグナリング情報を決定するステップと、
前記物理レイヤーシグナリング情報に含まれた固定ビット数を有するシグナリング情報から１つの符号化ブロックを生成するステップと、
前記物理レイヤーシグナリング情報に含まれた可変ビット数を有するシグナリング情報から少なくとも一つの符号化ブロックを生成するステップと、を有し、
前記固定ビット数を有するシグナリング情報は、前記可変ビット数を有するシグナリング情報の受信のための情報を含むことを特徴とする制御情報を送信する方法。
【請求項２】
前記固定ビット数を有するシグナリング情報は、前記物理レイヤーシグナリング情報で一定に保持されるレイヤー１（Ｌ１）プリ−シグナリング情報を含むことを特徴とする請求項１に記載の制御情報を送信する方法。
【請求項３】
前記レイヤー１プリ−シグナリング情報は、前記可変ビット数を有するシグナリング情報の送信のために使用されるサブキャリア、変調方式、及び符号化率の中の少なくとも１つを示す情報を含むことを特徴とする請求項２に記載の制御情報を送信する方法。
【請求項４】
前記フレームは、サービスデータを含み、前記可変ビット数を有するシグナリング情報は、前記サービスデータの受信のための情報を含むことを特徴とする請求項１に記載の制御情報を送信する方法。
【請求項５】
前記固定ビット数を有するシグナリング情報は、使用される無線周波数（ＲＦ）チャネルの個数に関する情報、追加拡張フレーム（ＦＥＦ）が使用されるか否かを示す情報、セル識別子（ＩＤ）、ネットワーク識別子、システム識別子のうち少なくとも一つを含むことを特徴とする請求項１に記載の制御情報を送信する方法。
【請求項６】
前記フレームは、少なくとも１つの物理レイヤーパイプ（ＰＬＰ）をサービスデータとして含み、前記可変ビット数を有するシグナリング情報は、前記１つの物理レイヤーパイプを複数の無線周波数（ＲＦ）チャネルを介して送信する場合、１番目の無線周波数チャネルの周波数を除く残りの無線周波数チャネルの周波数に関する情報を含むことを特徴とする請求項１に記載の制御情報を送信する方法。
【請求項７】
前記可変ビット数を有するシグナリング情報は、将来の使用のために予備された追加拡張フレーム（ＦＥＦ）に関連した情報を含むことを特徴とする請求項１に記載の制御情報を送信する方法。
【請求項８】
前記生成するステップは、低密度パリティ検査（ＬＤＰＣ）符号を用いて前記符号化ブロックを生成するステップをさらに含むことを特徴とする請求項１に記載の制御情報を送信する方法。
【請求項９】
デジタルブロードキャスト／通信システムにおける制御情報を送信する装置において、
入力された情報を所定の符号化方式で符号化する符号化部と、
フレームを送信する送信部と、
前記フレームで送信される物理レイヤーシグナリング情報を決定し、前記符号化部が前記物理レイヤーシグナリング情報に含まれた固定ビット数を有するシグナリング情報を一つの符号化ブロックで生成し、前記物理レイヤーシグナリング情報に含まれた可変ビット数を有するシグナリング情報を少なくとも一つの符号化ブロックで生成するように制御する制御部と、を有し、
前記固定ビット数を有するシグナリング情報は、前記可変ビット数を有するシグナリング情報の受信のための情報を含むことを特徴とする制御情報を送信する装置。
【請求項１０】
前記固定ビット数を有するシグナリング情報は、前記物理レイヤーシグナリング情報で一定に保持されるレイヤー１（Ｌ１）プリ−シグナリング情報を含むことを特徴とする請求項９に記載の制御情報を送信する装置。
【請求項１１】
前記レイヤー１プリ−シグナリング情報は、前記可変ビット数を有するシグナリング情報の送信のために使用されるサブキャリア、変調方式、及び符号化率の中の少なくとも１つを示す情報を含むことを特徴とする請求項１０に記載の制御情報を送信する装置。
【請求項１２】
前記フレームは、サービスデータを含み、前記可変ビット数を有するシグナリング情報は、前記サービスデータの受信のための情報を含むことを特徴とする請求項９に記載の制御情報を送信する装置。
【請求項１３】
前記固定ビット数を有するシグナリング情報は、使用される無線周波数（ＲＦ）チャネルの個数に関する情報、追加拡張フレーム（ＦＥＦ）が使用されるか否かを示す情報、セル識別子（ＩＤ）、ネットワーク識別子、システム識別子のうち少なくとも一つを含むことを特徴とする請求項９に記載の制御情報を送信する装置。
【請求項１４】
前記フレームは、少なくとも１つの物理レイヤーパイプ（ＰＬＰ）をサービスデータとして含み、前記可変ビット数を有するシグナリング情報は、前記１つの物理レイヤーパイプを複数の無線周波数（ＲＦ）チャネルを介して送信する場合、１番目の無線周波数チャネルの周波数を除く残りの無線周波数チャネルの周波数に関する情報を含むことを特徴とする請求項９に記載の制御情報を送信する装置。
【請求項１５】
前記可変ビット数を有するシグナリング情報は、将来の使用のために予備された追加拡張フレーム（ＦＥＦ）に関連した情報を含むことを特徴とする請求項９に記載の制御情報を送信する装置。
【請求項１６】
前記符号化部は、低密度パリティ検査（ＬＤＰＣ）符号を用いて前記符号化ブロックを生成することを特徴とする請求項９に記載の制御情報を送信する装置。
【請求項１７】
通信システムにおける制御情報を受信する方法であって、
受信したフレームの１つの符号化ブロックで固定ビット数を有するシグナリング情報を受信するステップと、
前記固定ビット数を有するシグナリング情報を用いて前記受信したフレームの少なくとも１つの符号化ブロックで可変ビット数を有するシグナリング情報を復号化するステップと、
を有することを特徴とする制御情報を受信する方法。
【請求項１８】
前記固定ビット数を有するシグナリング情報は、前記物理レイヤーシグナリング情報で一定に保持されるレイヤー１（Ｌ１）プリ−シグナリング情報を含むことを特徴とする請求項１７に記載の制御情報を受信する方法。
【請求項１９】
前記レイヤー１プリ−シグナリング情報は、前記可変ビット数を有するシグナリング情報の送信のために使用されるサブキャリア、変調方式、及び符号化率の中の少なくとも１つを示す情報を含むことを特徴とする請求項１８に記載の制御情報を受信する方法。
【請求項２０】
前記フレームは、サービスデータを含み、前記可変ビット数を有するシグナリング情報は、前記サービスデータの受信のための情報を含むことを特徴とする請求項１７に記載の制御情報を受信する方法。
【請求項２１】
前記固定ビット数を有するシグナリング情報は、使用される無線周波数（ＲＦ）チャネルの個数に関する情報、追加拡張フレーム（ＦＥＦ）が使用されるか否かを示す情報、セル識別子（ＩＤ）、ネットワーク識別子、システム識別子のうち少なくとも一つを含むことを特徴とする請求項１７に記載の制御情報を受信する方法。
【請求項２２】
前記フレームは、少なくとも１つの物理レイヤーパイプ（ＰＬＰ）をサービスデータとして含み、前記可変ビット数を有するシグナリング情報は、前記１つの物理レイヤーパイプを複数の無線周波数（ＲＦ）チャネルを介して送信する場合、１番目の無線周波数チャネルの周波数を除く残りの無線周波数チャネルの周波数に関する情報を含むことを特徴とする請求項１７に記載の制御情報を受信する方法。
【請求項２３】
前記可変ビット数を有するシグナリング情報は、将来の使用のために予備された追加拡張フレーム（ＦＥＦ）に関連した情報を含むことを特徴とする請求項１７に記載の制御情報を受信する方法。
【請求項２４】
前記１つの符号化ブロック及び前記少なくとも１つの符号化ブロックは、独立して低密度パリティ検査（ＬＤＰＣ）符号化がなされたブロックであることを特徴とする請求項１７に記載の制御情報を受信する方法。
【請求項２５】
無線通信システムにおける制御情報を受信する装置であって、
無線ネットワークを介して物理レイヤーシグナリング情報を含むフレームを受信する受信部と、
受信した情報を所定の符号化方式で復号化する復号化部と、
前記復号化部が前記物理レイヤーシグナリング情報に含まれた固定ビット数を有するシグナリング情報を復号化するように制御し、該復号化されたシグナリング情報を用いて前記物理レイヤーシグナリング情報に含まれた可変ビット数を有するシグナリング情報を復号化するように制御する制御部と、
を有することを特徴とする制御情報を受信する装置。
【請求項２６】
前記固定ビット数を有するシグナリング情報は、前記物理レイヤーシグナリング情報で一定に保持されるレイヤー１（Ｌ１）プリ−シグナリング情報を含むことを特徴とする請求項２５に記載の制御情報を受信する装置。
【請求項２７】
前記レイヤー１プリ−シグナリング情報は、前記可変ビット数を有するシグナリング情報の送信のために使用されるサブキャリア、変調方式、及び符号化率の中の少なくとも１つを示す情報を含むことを特徴とする請求項２６に記載の制御情報を受信する装置。
【請求項２８】
前記フレームは、サービスデータを含み、前記可変ビット数を有するシグナリング情報は、前記サービスデータの受信のための情報を含むことを特徴とする請求項２５に記載の制御情報を受信する装置。
【請求項２９】
前記固定ビット数を有するシグナリング情報は、使用される無線周波数（ＲＦ）チャネルの個数に関する情報、追加拡張フレーム（ＦＥＦ）が使用されるか否かを示す情報、セル識別子（ＩＤ）、ネットワーク識別子、システム識別子のうち少なくとも一つを含むことを特徴とする請求項２５に記載の制御情報を受信する装置。
【請求項３０】
前記フレームは、少なくとも１つの物理レイヤーパイプ（ＰＬＰ）をサービスデータとして含み、前記可変ビット数を有するシグナリング情報は、前記１つの物理レイヤーパイプを複数の無線周波数（ＲＦ）チャネルを介して送信する場合、１番目の無線周波数チャネルの周波数を除く残りの無線周波数チャネルの周波数に関する情報を含むことを特徴とする請求項２５に記載の制御情報を受信する装置。
【請求項３１】
前記可変ビット数を有するシグナリング情報は、将来の使用のために予備された追加拡張フレーム（ＦＥＦ）に関連した情報を含むことを特徴とする請求項２５に記載の制御情報を受信する装置。
【請求項３２】
前記１つの符号化ブロック及び前記少なくとも１つの符号化ブロックは、独立して低密度パリティ検査（ＬＤＰＣ）符号化がなされたブロックであることを特徴とする請求項２５に記載の制御情報を受信する装置。
【手続補正２】
【補正対象書類名】明細書
【補正対象項目名】００２６
【補正方法】変更
【補正の内容】
【００２６】
例えば図２の場合、Ｌ１プリ−シグナリング情報２０２に対して、入力情報のビット数が４１ビット程度にすぎないから、その入力情報に２２７ビットのダミ−ビットを付加し、ここで、３２ビットのＣＲＣビットを追加して３００ビットを形成した後、符号化を通じて１つの符号語を生成する方式を示したものである。上述したように、２２７ビットだけがＬ１プリ−シグナリング情報及び３２ビットのＣＲＣを含む７３ビットの情報を送信するためにダミービットとして使用される。
【手続補正３】
【補正対象書類名】明細書
【補正対象項目名】００３３
【補正方法】変更
【補正の内容】
【００３３】
テーブル４０３にリストしたＬ１プリ−シグナリング情報の主なフィールドは、フレームで送信されたストリームのタイプを示す“ＴＹＰＥ”、パートＩＩ情報４０２の符号率を示す“Ｌ１＿ＣＯＤ”、パートＩＩ情報４０２の変調方式を示す“Ｌ１＿ＭＯＤ”、パートＩＩ情報４０２のために使用されるＬ１順方向エラー訂正（ＦＥＣ）タイプ（例えば、１６ｋＬＤＰＣ符号）を示す“Ｌ１＿ＦＥＣ＿ＴＹＰＥ”、符号化及び変調がなされたパートＩＩ情報４０２のサイズを示す“Ｌ１＿Ｐ＿ＳＩＺＥ”、ネットワークで地理的なセルを固有に示す指示子である“ＣＥＬＬ＿ＩＤ”、現在のネットワークを識別する“ＮＥＴＷＯＲＫ＿ＩＤ”、システムを識別する“Ｔ２＿ＳＹＳＴＥＭ＿ＩＤ”、及びＲＦチャネルのインデックスである“ＲＦ＿ＩＤＸ”である。
【手続補正４】
【補正対象書類名】明細書
【補正対象項目名】００３５
【補正方法】変更
【補正の内容】
【００３５】
テーブル４０５にリストしたパートＩＩのＬ１可変情報及びＬ１動的情報の主なフィールドは、（スーパー）フレームを介して送信されたＰＬＰの個数を示す“ＮＵＭ＿ＰＬＰ”、ＰＬＰを固有に示す識別子（ＩＤ）である“ＰＬＰ＿ＩＤ”、ＰＬＰの符号率を示す“ＰＬＰ＿ＣＯＤ”、ＰＬＰの変調方式を示す“ＰＬＰ＿ＭＯＤ”、ＰＬＰのために使用されたＦＥＣタイプを示す“ＰＬＰ＿ＦＥＣ＿ＴＹＰＥ”、現在のＰＬＰのインターリービングされたフレームに含まれたＦＥＣブロックの個数を示す“ＰＬＰ＿ＮＵＭ＿ＢＬＯＣＫＳ”、及び現在のＰＬＰでのＰＬＰの開始位置を示す“ＰＬＰ＿ＳＴＡＲＴ”である。
【国際調査報告】
2011514776.tif 000011
2011514776.tif 000012